(57)【要約】【課題】  統計手法を用いることにより従来方法よりも作業時間を短くし、かつ精度よい停止目標座標を決定することができるスタッカークレーンの停止目標座標決定方法を提供する。【解決手段】  床面から立設されている複数の支柱により連方向が区分されると共に複数の支柱間に設けられた荷受部により段方向に区分された区画を形成する棚の連方向および段方向の設計座標を棚のレイアウト図から導出し、導出された設計座標の一部を指定してスタッカークレーンを移動させ、当該移動位置に対応する棚の座標を計測し、設計座標のうち指定されなかった設計座標に対応する棚の座標を計測された座標に基づいて推定し、導出された設計座標と推定された座標とに基づいて設計座標の補正値を算出して、この補正値によって補正をされた設計座標をスタッカークレーンの停止目標座標として決定する。【選択図】図６
2011148624.tif 000002
【特許請求の範囲】
【請求項１】
床面から立設されている複数の支柱により連方向が区分されると共に上記複数の支柱間に設けられた荷受部により段方向に区分された区画を形成する棚に対して収納物を搬出入するフォーク装置を備えたスタッカークレーンの停止目標座標を決定する方法であって、
上記棚の上記連方向および上記段方向の設計座標を上記棚のレイアウト図から導出し、
上記導出された設計座標の一部を指定し、
上記指定された設計座標に対応する位置に上記スタッカークレーンを移動させ、
上記移動されたスタッカークレーンの位置に対応する棚の座標を計測し、
上記導出された設計座標のうち上記指定されなかった設計座標に対応する上記棚の座標を、上記計測された座標に基づいて統計処理により推定し、
上記導出された設計座標と上記推定された座標とに基づいて、上記導出された設計座標の補正値を算出し、
上記導出された設計座標を上記算出された補正値で補正をし、
上記補正をされた設計座標を上記停止目標座標として決定する、
ことを特徴とするスタッカークレーンの停止目標座標の決定方法。
【請求項２】
上記移動されたスタッカークレーンの位置に対応する棚の座標は、上記連方向の基準点と上記支柱との距離と、上記段方向の基準点と上記荷受部との距離と、上記収納物の搬出入方向の基準点と上記支柱との距離とに基づいて計測される、
請求項１記載のスタッカークレーンの停止目標座標の決定方法。
【請求項３】
上記導出された設計座標のうち上記指定されなかった設計座標に対応する上記棚の座標は、重回帰分析により推定する、
請求項１または２記載のスタッカークレーンの停止目標座標の決定方法。
【請求項４】
上記移動されたスタッカークレーンの位置に対応する棚の座標の計測を指定回数行い、
上記導出された設計座標のうち上記指定されなかった設計座標に対応する上記棚の座標は、上記指定回数おこなわれた計測の結果に基づいて推定する、
請求項１乃至３のいずれかに記載のスタッカークレーンの停止目標座標の決定方法。
【発明の詳細な説明】
【技術分野】
【０００１】
本発明は、統計処理を用いることにより従来方法に比べて、労力を軽減することで停止目標座標を短時間に決定することができるスタッカークレーンの停止目標座標決定方法に関するものである。
【背景技術】
【０００２】
より多くの物品を収納するために上下方向は多段に、列方向は複数列に多数配設した棚に対して、物品の収納と取り出しを自動的に行うスタッカークレーンが知られている。
物品の収納と取り出しを行うには、スタッカークレーンを所定の棚に対して正確な位置に移動させることが必要となる。
そのため、スタッカークレーンが棚の位置を正確に認識できるように、本稼働の前に、各棚の位置に対するスタッカークレーンの停止目標座標（棚の位置）を、スタッカークレーンの動作制御を行う制御盤に記憶させておく必要がある。
【０００３】
停止目標座標は、各棚に対し寸分の狂いもなく正確な値であることが理想である。しかし、実際の棚の位置と設計図から導き出すことができる位置には誤差が生じる。この誤差は、棚の設置工事等の精度によるものである。すなわち、設計図から導き出した棚の位置のみを用いて、停止目標座標を正確に決定することは困難である。
【０００４】
上記課題に対して、正確な停止目標座標の設定をするための自動ティーチング装置に関する発明が知られている（例えば、特許文献１を参照）。
特許文献１記載の装置は、各支柱及び各棚に移載機アームのＸ軸、Ｙ軸、Ｚ軸の３軸の突出位置を検出するための検出マーカーを配設し、移載機側にこれら検出マーカーを検知するためのセンサーを備え、出没する移載機アームの高さ方向及び横方向の位置とからなるアームの突出位置と、その突出量値とを所定の値に調整し、これを制御装置にティーチングデータとして設定するようにしたものである。
【０００５】
特許文献１記載の装置によれば、全てのコンテナ収納位置（棚の位置）をスキャンしなければならないため、棚の規模が大きくなるとティーチング量が増え、停止目標座標を設定する作業に時間を要してしまう。また各支柱、棚に検出マーカーを取付けなければならず、取り付け位置に誤差が生じてしまい、正確な停止目標座標の設定が困難となる。
【０００６】
上記の課題に対し、検出マーカーなどの検出板をなくして調整にかかる手間とコストを削減することができる移動体の位置学習方法に関する発明が知られている（例えば「引用文献２」を参照）。
引用文献２に記載の移動体の位置学習方法は、スタッカークレーンの走行方向の全長距離を計測した実測値と設計値の比率を算出し、各支柱間のピッチにその比率を乗算して学習基準データを算出し、全ての支柱に対して、前進走行中に検出した支柱の立ち上がりと後退走行中に検出した支柱の立ち上がりにおけるエンコーダパルスをサンプリングし、その平均値から各支柱の始点ＨＰから中心位置が求められ、走行制御部に書き込む。前記学習基準データから検出有効範囲を設定し、この検出有効範囲Ｒ内で支柱を検出しなかったとき、未検出の支柱として記憶する。クレーンの昇降方向も同様の方法で行うものである。
【０００７】
このように、特許文献２記載の発明においても、すべての支柱、腕木に対してサンプリングを行う必要がある。このため、ラック規模が大きくなるほど、サンプリング量を増やすことになり、結果的に目標値を決定するのに時間を要することになる。また、走行方向と昇降方向の全長を実測値と設計値との比率を算出し、この比率を各支柱のラックピッチに乗算して学習基準データを得るため、最初の比率算出の過程で計測に狂いが生じると、すべての棚に対し正確なサンプリングがおこなわれず、結果的に一からやり直す必要があるので、無駄に労力を要してしまう可能性がある。
【先行技術文献】
【特許文献】
【０００８】
【特許文献１】特開２００５−２６３４１１号公報
【特許文献２】特許３６６６３６９号公報
【発明の概要】
【発明が解決しようとする課題】
【０００９】
本発明は、上記課題を鑑みてなされたものであって、スタッカークレーンの停止目標座標決定方法において、棚の全ての座標を、必要最小限指定して計測した計測値から予測して算出し、算出された推定座標に対して補正演算をおこなうことで、労力を軽減し短時間で停止目標座標を決定する方法を提供することを目的とする。
【課題を解決するための手段】
【００１０】
本発明は、床面から立設されている複数の支柱により連方向が区分されると共に複数の支柱間に設けられた荷受部により段方向に区分された区画を形成する棚に対して収納物を搬出入するフォーク装置を備えたスタッカークレーンの停止目標座標を決定する方法であって、
棚の連方向および段方向の設計座標を棚のレイアウト図から導出し、導出された設計座標の一部を指定し、指定された設計座標に対応する位置にスタッカークレーンを移動させ、移動されたスタッカークレーンの位置に対応する棚の座標を計測し、導出された設計座標のうち指定されなかった設計座標に対応する棚の座標を、計測された座標に基づいて統計処理により推定し、導出された設計座標と推定された座標とに基づいて、導出された設計座標の補正値を算出し、導出された設計座標を算出された補正値で補正をし、補正をされた設計座標を停止目標座標として決定する、ことを特徴とする。
【００１１】
また本発明の別の形態は、上記スタッカークレーンの停止目標座標決定方法において、移動されたスタッカークレーンの位置に対応する棚の座標は、連方向の基準点と支柱との距離と、段方向の基準点と荷受部との距離と、収納物の搬出入方向の基準点と支柱との距離とに基づいて計測される、ことを特徴とする。
【００１２】
また本発明の別の形態は、上記スタッカークレーンの停止目標座標決定方法において、導出された設計座標のうち指定されなかった設計座標に対応する棚の座標は、重回帰分析により推定することを特徴とする。
【００１３】
また本発明の別の形態は、上記スタッカークレーンの停止目標座標決定方法において、移動されたスタッカークレーンの位置に対応する棚の座標の計測を指定回数行い、導出された設計座標のうち指定されなかった設計座標に対応する棚の座標は、指定回数行われた計測の結果に基づいて推定することを特徴とする。
【発明の効果】
【００１４】
本発明によれば、スタッカークレーンの停止目標座標決定方法において、部品を保管する棚の全ての座標（以下「棚座標」とする）を、必要最小限の指定した棚座標から予測して算出し、算出された棚座標に対して補正演算を行なうことで、精度のよい停止目標座標を短時間で決定することができるようになる。
【図面の簡単な説明】
【００１５】
【図１】本発明に係る停止目標座標決定方法を実行するスタッカークレーンの概要を示す概略斜視図である。
【図２】上記スタッカークレーンが備えるフォーク装置に設置される測長センサーがＸ軸方向の位置検出を行う状態を示す拡大図である。
【図３】上記フォーク装置に設置される測長センサーがＹ軸方向の位置検出を行う状態を示す拡大図である。
【図４】上記フォーク装置に設置される測長センサーがＺ軸方向の位置検出を行う状態を示す拡大図である。
【図５】上記スタッカークレーンの制御盤の機能ブロックの例を示すブロック図である。
【図６】本発明にかかるスタッカークレーン停止目標座標決定方法の処理の流れの例を示すフローチャートである。
【図７】固定ラックの構成例を示す正面図である。
【図８】固定ラックにおけるスキャン対象箇所を示す正面図である。
【図９】上記スタッカークレーン停止目標座標決定方法における実測処理の詳細な処理の流れの例を示すフローチャートである。
【図１０】上記スタッカークレーン停止目標座標決定方法における設計座標、実測棚座標、推定座標、補正値の関係を示す概略図である。
【図１１】上記スタッカークレーン停止目標座標決定方法における設計座標、実測棚座標、推定座標、補正値の関係を示す一部拡大概略図である。
【発明を実施するための形態】
【００１６】
（スタッカークレーンの概要）
以下、本願に係るスタッカークレーンの停止目標座標決定方法について、図を用いて説明する。図１は、本願に係る停止目標座標決定方法を実行するスタッカークレーンの例を示す概略図である。
図１において、物品を収納する棚である固定ラック２００は、コンテナ受材２０２と、コンテナ受材２０２を所定の位置で固定するラック支柱２０１によって、構成されている。
スタッカークレーン１００は、固定ラック２００に対して、図示しない走行レール上を横方向（Ｘ軸方向）に走行可能とする移動機構１０６を有する走行台車１０１の上に、物品移載用のフォーク装置１１０を昇降操作自在に案内支持する前後一対の昇降マスト１０２を設けて、この前後一対の昇降マスト１０２の上端を梁１０４で連結している。
【００１７】
フォーク装置１１０は図示しない昇降機構を備えている。これによってフォーク装置１１０は、上下方向（Ｙ軸方向）に移動可能である。
また、フォーク装置１１０は、図示しない奥行移動機構を備えている。これによって、奥行方向（Ｚ軸方向）に移動可能であって、所定位置のコンテナ受材２０２に物品を収納し、また、収納されている物品を取り出すことができる。
【００１８】
スタッカークレーン１００およびフォーク装置１１０の所定の位置への移動は図示しない制御装置によって制御される。制御装置は固定ラック２００の各停止目標座標によって、指定された座標が示す位置にフォーク装置１１０が到達できるように、スタッカークレーン１００を制御する。
制御装置はＰＬＣやマイコンなど、スタッカークレーン１００を上記のように制御するものであれば何でも良く、スタッカークレーン１００に搭載されるもの、遠隔地に設置されて遠隔制御をするものなど、形式は問わない（以降の説明において制御装置を制御盤ＰＬＣとして説明する。）
【００１９】
スタッカークレーン１００の走行台車１０１には、Ｘ軸方向の移動距離を計測するためのレーザ距離計３０１が設置されている。このレーザ距離計３０１は、図示しない走行レールの端部付近に基準点として設置される反射板４０１に向けてレーザ光を出射し、反射板４０１からの反射を用いて距離を測長するものである。このレーザ距離計３０１は、制御盤ＰＬＣに接続されていて、測長した結果は、制御盤ＰＬＣに入力されて所定の動作制御に用いられる。
また、スタッカークレーン１００の走行台車１０１には、フォーク装置１１０のＹ軸方向の移動距離を計測するためのレーザ距離計３０２が設置されている。このレーザ距離計３０２を基準点として、フォーク装置１１０の端部に設置される反射板４０２に向けてレーザ光を出射し、反射板４０２からの反射を用いて距離を測長するものである。このレーザ距離計３０２は、制御盤ＰＬＣに接続されていて、測長した結果は、制御盤ＰＬＣに入力されて所定の動作制御に用いられる。
【００２０】
また、フォーク装置１１０の物品載置面（上面）の端部付近には、測長センサー３０３が設置されている。測長センサー３０３は、固定ラック２００を構成するラック支柱２０１とコンテナ受材２０２を検出するセンサーであって、フォーク装置１１０の物品載置面のＸ軸方向の端部に設置される。
測長センサー３０３も制御盤ＰＬＣに接続されていて、検出した結果は、制御盤ＰＬＣに入力されて所定の動作制御に用いられる。
【００２１】
（各センサーの動作）
次に、上記のレーザ距離計３０１、３０２および測長センサー３０３の動作について図２乃至４を用いて説明をする。
図２は、フォーク装置１１０に設置されている測長センサー３０３によって、Ｘ軸方向の位置が検出される様子を表した拡大図である。
図３は、フォーク装置１１０に設置されている測長センサー３０３によって、Ｙ軸方向の位置が検出される様子を表した拡大図である。
図４は、フォーク装置１１０に設置されている測長センサー３０３によって、Ｚ軸方向の位置が検出される様子を表した拡大図である。
なお、図２乃至４において、フォーク装置１１０の図示は省略している。
【００２２】
図２に示すように、測長センサー３０３はラック支柱２０１から反射される光ビームを検出することによって、Ｘ軸方向のラック支柱２０１の位置を検出することができる。
すなわち、スタッカークレーン１００がＸ軸方向へ移動すると、測長センサー３０３もＸ軸方向に移動する。ラック支柱２０１がない場所では測長センサー３０３から出射された光ビームは反射されず、測長センサー３０３はＯＦＦ状態である（点線で示した測長センサー３０３を参照）。
フォーク装置１１０がＸ軸方向にさらに移動し、ラック支柱２０１がある場所に差し掛かると、ラック支柱２０１によって光ビームが反射されるので、この反射された光ビームを測長センサー３０３は検出してＯＮ状態になる（実線で示した測長センサー３０３を参照）。
スタッカークレーンをＸ軸方向に移動させているときに、測長センサー３０３がＯＦＦ状態からＯＮ状態になったときのレーザ距離計３０１からの出力データを取得することでき、Ｘ軸方向の棚座標を実測することができる。つまり、このように取得されたレーザ距離計３０１による距離データが、当該位置におけるＸ軸方向の棚座標となる。
【００２３】
また、図３に示すように、測長センサー３０３はコンテナ受材２０２に設置されているターゲット部材２０３から反射される光ビームを検出することによって、コンテナ受材２０２のＹ軸方向の位置を検出することができる。
ターゲット部材２０３は、ラック支柱２０１を挟んで隣り合うコンテナ受材２０２の間に設置される光ビームの反射部材である。
すなわち、フォーク装置１１０がＹ軸方向へ移動すると、測長センサー３０３もＹ軸方向に移動する。測長センサー３０３とターゲット部材２０３までの距離は予め規定されているので、測長センサー３０３はラック支柱２０１から反射される光ビームを検出している間は、ＯＦＦ状態である（点線で示した測長センサー３０３）。
フォーク装置１１０がＹ軸方向にさらに移動し、ターゲット部材２０３から反射される光ビームを検出すると、測長センサー３０３はＯＮ状態になる。
フォーク１１０をＹ軸方向に移動させているときに、測長センサー３０３がＯＦＦ状態からＯＮ状態になったときのレーザ距離計３０２からの出力データを取得することで、Ｙ軸方向の棚座標を実測することができる。つまり、このように取得されたレーザ距離計３０２による距離データが、当該位置におけるＹ軸方向の棚座標となる。
【００２４】
また、図４に示すように光ビームがラック支柱２０１の正面を検出するようにフォーク装置１１０を停止させ、ラック支柱２０１から反射する光ビームを検出することで、Ｚ軸方向の距離を検出することができる。
すなわちすでに取得されたＸ軸とＹ軸の棚座標にスタッカークレーン１００を移動させて、ラック支柱２０１の正面から反射される光ビームによる距離データが、当該位置におけるＺ軸方向の棚座標となる。
【００２５】
このように、測長センサー３０３とレーザ距離計３０１および３０２によって、固定ラック２００の各棚に対するスタッカークレーン１００の基準点からの距離データで構成されるＸ軸座標とＹ軸座標が特定でき、このＸ軸座標とＹ軸座標におけるＺ軸座標との組み合わせで棚座標を取得することができる。
なお、固定ラック２００の各棚に対するスタッカークレーン１００のＸ軸方向の基準点は反射板４０１であり、Ｙ軸方向の基準点は距離計３０２である。
計測データによって取得された棚座標（実測棚座標）と、レイアウト図から導出される棚座標（設計棚座標）を用いて後述する情報処理を行うことによって、本発明にかかるスタッカークレーンの停止目標座標が決定される。
【００２６】
次に、本発明にかかるスタッカークレーンの停止目標座標決定方法について説明する。図５は、本実施例にかかるスタッカークレーン１００を制御する制御盤ＰＬＣの機能ブロック図の例である。図５において、制御盤ＰＬＣには、スタッカークレーン１００に設置されている第１の距離計であるレーザ距離計３０１、第２の距離計であるレーザ距離計３０２、複数のセンサーである測長センサー３０３が通信インターフェースを介して接続されている。制御盤ＰＬＣの内部には、図示しないＣＰＵとソフトウェアが搭載されており、図５に示す各機能手段は、このＣＰＵを含むハードウェア資源を用いてソフトウェアが実行する情報処理によって実現される。
【００２７】
図５において制御盤ＰＬＣは、スタッカークレーンの停止目標座標を記憶する棚座標記憶部１１と、記憶された停止目標座標に基づきスタッカークレーンを動作させる動作制御部１２を有してなる。
【００２８】
また、前記制御盤ＰＬＣの棚座標記憶部１１に記憶された停止目標座標は外部ＰＣの設計座標計算部２１で算出された設計座標と補正値計算部２３で算出された補正値から停止目標座標が決定される。設計座標計算部２１はレイアウト図から導出される基本情報と始点座標に基づいて設計座標を算出し、前記制御盤ＰＬＣの棚座標記憶部１１に記憶される。スキャン座標指示部２２は、制御盤ＰＬＣの棚座標記憶部１１に記憶された設計座標のうち、スキャン対象座標として必要最小限の座標を指定し、スタッカークレーンのスキャン処理を指示する。補正値計算部２３はスタッカークレーンのスキャン処理によって、取得した計測値の統計処理をおこない推定座標を算出する。この推定座標から全棚の補正値を算出する。なお、設計座標計算部２１とスキャン座標指示部２２と補正値計算部２３は外部ＰＣに設けられており、制御盤ＰＬＣとの間で各データの通信をおこなうように構成される。
【００２９】
ここで設計座標、実測棚座標、推定座標の関連についてＸ軸の棚座標を例に説明する。図１０は据付工事後の固定ラック２００の状態の例を示す正面図である。説明の便宜上、固定ラック２００の一部（３連分）を図示している。図１０に示すように、ラック支柱２０１が支柱結合部２０５において直列に接続できず、若干であるが左右にずれている。設計座標５０１によってスタッカークレーン１００を稼働させると、本来あるはずの位置に棚がないことになる。
【００３０】
このずれ（据付誤差）を修正するために、すべての棚に対する実測（スキャン処理）を行うことなく、所定の箇所のみを実測し、実測していない座標は統計処理によって算出することが本発明の特徴である。
すなわち、実測棚座標５０２を重回帰分析することによって、計測していない棚座標についても推定座標５０３を算出する。
【００３１】
図１１は、図１０に示した固定ラック２００の例の一部を拡大した正面図である。図１１に示すように、実測棚座標５０２から算出された推定座標５０３と設計座標５０１によって当該棚座標におけるＸ軸の補正値５０４が算出される。
【００３２】
図６は、本発明にかかるスタッカークレーン停止目標座標決定方法の処理の流れの例を示すフローチャートである。
図６において、各処理ステップはＳ１０、Ｓ２０、・・・のように表記する。まず、固定ラック２００のレイアウト図から、始点と終点、基準ピッチ、連の欠番、段落ち、などの基本情報を設計座標記憶部２１へ入力する。（Ｓ１０）。
次に、スタッカークレーン１００を上記Ｓ１０において入力された始点の座標まで移動させて、距離計３０１から基準点となる反射板４０１（Ｙ軸方向の場合、基準点となる距離計３０２から反射板４０２）までの距離を計測する（Ｓ２０）。距離の計測は、すでに説明した方法のとおり、レーザ距離計３０１（またはレーザ距離計３０２）によって行われる。
【００３３】
次に、入力された基本情報とレーザ距離計３０１（またはレーザ距離計３０２）による始点の計測値に基づいて、設計座標計算部２１で固定ラック２００全体の設計座標を算出する（Ｓ３０）。
ここで設計座標の算出方法について、図７の例を用いて説明をする。図７は、固定ラックの正面図の例である。図６において、固定ラック２００は、すでに説明をしたとおり支柱２０１とコンテナ受材２０２からなり、物品を載置可能な棚を形成している。
図７に示すように、固定ラック２００は基準点から一連目の支柱を始点とし、所定の基準連ピッチをもって支柱２０１がＸ軸方向に配置されている。また、基準点から１段目のコンテナ受材を始点とし、所定の基準段ピッチをもってコンテナ受材２０２がＹ軸方向に配置されている。
【００３４】
固定ラック２００は、設置される場所によって一部の連が欠落することがある。例えば、建物の構造物（柱など）によって固定ラック２００を設置できない場所があるとき、その場所を「連欠番」という。また、同様に、段が欠けている部分を「段落ち」という。
【００３５】
図７に示すように、連（Ｘ軸方向）の基準点から始点（１連目の支柱）までの距離を始点座標ａ、基準連ピッチをｂ、段（Ｙ軸方向）の始点（基準点から始点（１段目の棚受け）までの座標ｃとすると、ｎ本目の支柱２０１の基準点からの距離Ｘｎは、ａ＋ｂ×（ｎ−１）によって算出される。ここで、ｍ連目において、連欠番が生じている場合、ｍ番目の支柱２０１とｍ＋１番目の支柱の距離をｒとすると、ｍ＋１番目の支柱２０１の始点からの距離Ｘｍ＋１は、ａ＋ｂ×（ｍ−１）＋ｒによって算出される。
このように、固定ラック２００のレイアウト図と設計に係る情報から設計座標を算出することができる。
【００３６】
また、Ｙ軸方向において、１段目のコンテナ受材２０２で停止したときの基準点である距離計３０２から反射板４０２までの距離がｃであるので、ｎ段目のコンテナ受材２０２の基準点からの距離Ｙｎは、ｃ＋ｄ×（ｎ−１）によって算出される。ここで、ｍ段目に連ツナギが設置され、そのピッチがｓであるときは、ｍ段目のコンテナ受材２０２の始点からの距離Ｙｍは、ｃ＋ｄ×（ｎ−２）＋ｓによって算出される。
上記のように、レーザ距離計３０１および３０２によって計測される始点座標と、レイアウト図から導出される各データを用いて、固定ラック２００の全体の設計座標を算出することができる。上記にて算出されたＸ軸とＹ軸の設計座標を制御盤ＰＬＣへ入力する。（Ｓ４０）。
【００３７】
次に、制御盤ＰＬＣへ入力された上記設計座標からスキャン対象座標を指定する（Ｓ５０）。スキャン対象座標とは、上記の設計座標に基づいてスタッカークレーン１００を動作させて、棚の実測をする座標をいう。スキャン対象座標による実測は、固定ラック２００の棚全体に行うのではなく、必要最小限の棚の実測をすればよい。したがって、どの設計座標を実測の対象とするのかを、決定する。
【００３８】
ここで、スキャン対象座標の決定方法について説明をする。図８は、固定ラック２００の正面図の例である。固定ラック２００に対してＸ軸方向を「連」といい、Ｙ軸方向を「段」という。
Ｘ軸方向の実測は、隣接する支柱２０１を連方向に接続する連つなぎ部材が設置されている箇所（連つなぎ２０３）と支柱２０１を継ぎ足す支柱結合部材によって結合されている箇所（支柱結合部２０５）の上方に位置するコンテナ受材２０２と、１段目のコンテナ受材２０２を対象とする。
Ｙ軸方向の実測は、固定ラック２００の強度を確保するために設置されている筋交い（背ブレース２０４）が結合されている支柱２０１を対象とする。
Ｚ軸方向の実測は、Ｘ軸方向とＹ軸方向で実測対象とした箇所を対象とする。
【００３９】
上記の条件をもとに選定されたスキャン対象箇所を図８においては点線円で示している。より詳しく説明をする。例えばＸ軸方向の座標の実測を行うときは、連つなぎ２０３や背ブレース２０４、支柱接合部２０５がある段（1段４段、６段、７段）に該当するＸ座標を対象とし、Ｙ軸方向の座標の実測を行うときは、背ブレースで連結している連（１連、３連、５連、７連）に該当するＹ座標を対象とする。Ｚ軸方向の座標の実測を行うときは、このＸ方向とＹ方向で対象とされた位置を実測の対象とすればよい。このようにして、固定ラック２００における所定の箇所のみを実測の対象として選定することができる。
【００４０】
次に、指定されたスキャン対象座標に対して、スタッカークレーン１００を移動させて、当該スキャン対象座標を実測する（Ｓ６０）。当該実測処理（Ｓ６０）の詳細な処理の流れについて図９のフローチャートを用いて説明をする。図９において、各処理ステップをＳ６１、Ｓ６２・・・のように表記する。まず、Ｘ軸のスキャン処理から行う。Ｘ軸方向にスタッカークレーン１００を移動させて、スキャン対象のＸ座標における基準点からの距離をレーザ距離計３０１によって計測する（Ｓ６１）。これを各スキャン対象座標において、指定回数行う（Ｓ６２）。
【００４１】
次にＹ軸のスキャン処理を行う。Ｙ軸のスキャン処理はＸ軸のスキャン処理と同様に、先に指定したスキャン対象座標に基づいて、スタッカークレーン１００を所定のＸ座標に移動させ、さらにフォーク装置１１０をスキャン対象のＹ座標に移動させて、スキャン対象のＹ座標における基準点からの距離をレーザ距離計３０２によって計測する（Ｓ６３）。これを各スキャン対象座標において指定回数行う（Ｓ６４）。計測回数は予め指定されている。
指定回数分のＹ軸の棚座標スキャン処理が終了した後に、次にＺ軸の棚座標スキャン処理を行う。
【００４２】
Ｚ軸のスキャン処理は、スキャン対象のＸ座標、Ｙ座標に基づいて、フォーク装置１１０を移動させて、スキャン対象のＺ座標におけるラック支柱２０１までの距離を測長センサー３０３によって計測する（Ｓ６５）。これを各スキャン対象座標において、指定回数行う。計測回数は予め指定されている（Ｓ６６）。
【００４３】
図６に戻る。上記のスキャン処理によって、計測された各スキャン対象座標ことのＸ、Ｙ、Ｚの各方向の計測値は外部ＰＣが備える補正値計算部２３に入力される(Ｓ７０)。入力された計測値は、計測やラックの施工状態などに異常がないか検査される(Ｓ８０)。具体的には、スキャン対象座標に対し、指定回数計測することで得られた計測値の平均値と標準偏差（バラツキ）が判断基準である設計許容値以内か否かを判定する（Ｓ８０）。計測値が許容範囲内ではないと判定されたときは、当該箇所を再度スキャンする（Ｓ８０のＮＧ）。
計測値が許容範囲内であると判定されたときは（Ｓ８０のＯＫ）、計測値を予め設定した計測ラグと計測オフセットにより修正する。この修正された計測値から重回帰分析をおこなって、計測していない座標に対する推定座標を算出する（Ｓ９０）。
【００４４】
上記算出された推定座標と設計座標の差分を算出する（Ｓ１００）。この差分が各棚座標における「補正値」となる。算出された補正値と設計座標から停止目標座標を決定し（Ｓ１１０）、制御盤ＰＬＣの棚座標記憶部へ入力する（Ｓ１２０）。
【００４５】
このように、本実施例に係るスタッカークレーンの停止目標座標決定方法によれば、レイアウト図などの設計情報から導出された「設計座標」を用いて、停止目標座標の精度を上げるために、実際に棚の全範囲をスキャンするのではなく、所定の条件に合致する箇所に対して指定回数分だけスキャンをし、これによって得たスキャンデータに基づいて重回帰分析処理によって得られる補正値を用いて、設計座標の補正をするので、労力を軽減して、短時間で正確な停止目標座標を算出することができるようになる。
【符号の説明】
【００４６】
１００  スタッカークレーン
１０１  走行台車
２００  固定ラック
２０１  ラック支柱
２０２  コンテナ受材
２０３  ターゲット部材
３０１  レーザ距離計
３０２  レーザ距離計
３０３  測長センサー
【図１】
2011148624.tif 000003
【図２】
2011148624.tif 000004
【図３】
2011148624.tif 000005
【図４】
2011148624.tif 000006
【図５】
2011148624.tif 000007
【図６】
2011148624.tif 000008
【図７】
2011148624.tif 000009
【図８】
2011148624.tif 000010
【図９】
2011148624.tif 000011
【図１０】
2011148624.tif 000012
【図１１】
2011148624.tif 000013